(57)【特許請求の範囲】
【請求項１】
ヘルメットの収納ボックスの上方開口部を開閉自在なシートで覆うようにした自動二輪車において、
前記シート底板の一部に開口部を設け、該開口部内に、該シート底板と別体で、上下方向に移動可能な可動板を設け、
前記可動板は、その外周部を上方に一段高い段部とするとともに、該外周部が前記シート底板の開口部内周縁の上方に重なるように当接して重なるように載置されている構成とした、
ことを特徴とする自動二輪車のシート装置。
【請求項２】
前記可動板の中央部に前記ヘルメットに対応するように設けた孔部の周部は、径方向の中央方向に上傾するように傾斜して形成されていることを特徴とする請求項１記載の自動二輪車のシート装置。
【請求項３】
前記可動板の下面には柔軟な保護材を設けたことを特徴とする請求項１記載の自動二輪車のシート装置。
【請求項４】
前記収納ボックスは、前記ヘルメットの後部を前記自動二輪車前方へ向けて収納可能に構成され、
前記可動板は、前記ヘルメットの後部を前記自動二輪車前方へ向けて収納したときの前記ヘルメットの頂部の真上位置に配設されていることを特徴とする請求項１、請求項２又は請求項３記載の自動二輪車のシート装置。
【請求項５】
前記可動板の径方向への移動を規制しているガイド部を備えていることを特徴とする請求項１〜４のいずれか１項に記載の自動二輪車のシート装置。
【請求項６】
前記ガイド部は、前記開口部の外方の前記シート底板上に、上方に突設していることを特徴とする請求項５記載の自動二輪車のシート装置。
【発明の詳細な説明】
【０００１】
【発明の属する技術分野】
本発明は、ヘルメット収納ボックスの開口部を、シートで開閉する式の自動二輪車のシート装置に関する。
【０００２】
【従来の技術】
従来、実公平６−３０６２７号をはじめとして、自動二輪車において、シート下方にヘルメット収納ボックスを設け、シートを開閉することで、ヘルメットを収納、取り出すようにした構造のものが従来から知られている。
この従来技術は、収納ボックスの上方開口部上にシートを開閉自在に配置し、折り畳み構造のストッパープレートを起こしてシート下方のクロスプレートをヘルメット収納状態で高い位置で支持するようにしたもので、収納ボックス内にヘルメットを収納した状態において、シート上に乗員が腰掛けた場合に、シートの沈み込みをクロスプレートで防止するようにしたものである。
【０００３】
【発明が解決しようとする課題】
ところで、ヘルメットは高さ方向の寸法が大きい。特に、頭部全面を覆うフルフェース式のヘルメットでは、頭頂から頸部までを覆うので、高さ方向の寸法が大きい。
この結果、シート下方に設けられるヘルメット収納ボックスは、高さ方向の寸法が大きくなる傾向にある。従って、ヘルメット収納ボックス上に配置されるシートの位置は、収納ボックスの高さが大きくなることから、必然的にその高さが大きくならざるを得ない。
【０００４】
ところで、スクータ形式等の自動二輪車においては、乗降性を向上させるために、シートの位置を低く設定することが好ましい。
一方、収納ボックスの下方には、例えばパワーユニットスイング式の自動二輪車では、収納ボックス下方に、上下にスイング動するパワーユニットが配置されている。従って、収納ボックスの底部を低くすることは、パワーユニットの上下スイング動のストロークを確保する関係等から困難性を伴う。一方、収納ボックスの高さは、収納するヘルメットとの関係から、低く設定することには困難性を伴う。
従って、収納ボックスの上部開口部を開閉するようにシートを設けた場合、シートの高さを低く設定することには、困難性を伴う。
【０００５】
本発明は、かかる課題を解決すべくなされたものである。
本発明の目的とする処は、ヘルメットの収納ボックスを、この上に配置したシートで開閉するように構成し、且つ収納ボックスの底部の高さ位置を、これの下方に配置されるスイング式のパワーユニット等の機器との関係で、従来と同様の高さ位置に設定しつつ、シートの高さを可及的に低く設定し、自動二輪車の乗降性を向上させる、という相反する要求を、合理的に解決することを可能とした自動二輪車のシート装置を提供することにある。
【０００６】
【課題を解決するための手段】
上記課題を解決するために請求項１は、ヘルメットの収納ボックスの上方開口部を開閉自在なシートで覆うようにした自動二輪車において、前記シート底板の一部に開口部を設け、該開口部内に、該シート底板と別体で、上下方向に移動可能な可動板を設けたことを特徴とする。
【０００７】
請求項１では、ヘルメットを収納ボックスに収納した際、シート底板と別体の可動板のみが上方に移動してヘルメットの高さ方向の収納スペースを確保することができ、この結果、シートの高さを下げることが可能である。
【０００８】
請求項１は、前記可動板を、その外周部が、前記シート底板の開口部内周縁の上方に重なるように構成した。
請求項１では、収納ボックスからヘルメットを取り出した空の状態において、シートへの乗員の荷重が可動板にかかっても、荷重はシート底板で支持されることとなる。
請求項２は、可動板の中央部にヘルメットに対応するように設けた孔部の周部は、径方向の中央方向に上傾するように傾斜して形成されていることを特徴とする。
請求項２では、可動板の中央部にヘルメットに対応するように設けた孔部の周部は、径方向の中央方向に上傾するように傾斜して形成されているので、収納ボックス内に収納するヘルメットの頂部の一部が嵌まる大きさに設定することができ、可動板の上下移動を円滑に行うことができる。
【０００９】
請求項３は、請求項１に加えるに、前記可動板の下面に、柔軟な保護材を設けた。
請求項３では、収納ボックス内にヘルメットを収納した状態で、ヘルメットの頂部、或いはこれの周辺部と可動板との接触は、可動板下面のスポンジ等の保護材を介してなされる。
請求項４は、収納ボックスは、ヘルメットの後部を自動二輪車前方へ向けて収納可能に構成され、可動板は、ヘルメットの後部を自動二輪車前方へ向けて収納したときのヘルメットの頂部の真上位置に配設されていることを特徴とする。
請求項４では、収納ボックスは、ヘルメットの後部を自動二輪車前方へ向けて収納可能に構成され、可動板は、ヘルメットの後部を自動二輪車前方へ向けて収納したときのヘルメットの頂部の真上位置に配設されているので、ヘルメットの頂部とシート底板とが干渉し、且つシート内部にヘルメット頂部が潜る高さ位置まで、シート底板を低位に配置することができる。
請求項５は、可動板の径方向への移動を規制しているガイド部を備えていることを特徴とする。
請求項５では、可動板の径方向への移動を規制しているガイド部を備えているので、ヘルメットの頂部に当たり、可動板を上方へ移動させる際に、可動板の外周部をガイド部で案内して径方向への移動を規制することができる。
請求項６は、ガイド部は、開口部の外方のシート底板上に、上方に突設していることを特徴とする。
請求項６では、ガイド部は、開口部の外方のシート底板上に、上方に突設しているので、可動板の径方向への移動を規制しながら上下移動を円滑に行うことができ、可動板が水平面内で遊動するのを防ぐことができる。
従って、可動板の遊動を規制してヘルメッ卜を安定させて保持することができる。
【００１０】
【発明の実施の形態】
本発明の実施の形態を添付図に基づいて以下に説明する。なお、図面は符号の向きに見るものとする。
図１は本発明に係る自動二輪車の外観側面図、図２は本発明に係るシート、収納ボックス部分の拡大縦断面図、図３は本発明に係るシート底板の一部で、可動板の部分の拡大縦断面図、図４は本発明に係る収納ボックスにヘルメットを収納した状態の要部の縦断面図、図５は図４の要部の拡大図、図６は本発明に係る収納ボックスからヘルメットを取り出した空の状態の要部の縦断面図、図７は本発明の変更実施例を示すシート要部の縦断面図、図８は本発明の他の変更実施例を示すシート要部の縦断面図である。
【００１１】
図１は本発明に係るスクータ形式の自動二輪車の外観側面図を示し、自動二輪車１は、フレーム２の前端部のヘッドパイプ２ａを介して前輪３を支持するフロントフォーク４を操向自在に支持し、フロントフォーク４の上方に延出されたステアリングシャフト４ａ上にハンドル５を備える。
ヘッドパイプ２ａから急角度で後下傾するように設けたダウンチューブ２ｂの下部から左右後方に二股状にメインフレーム２ｃを延出し、メインフレーム２ｃの前部２ｄは低位で、中間部２ｅは緩やかに後上傾し、後部２ｆは後方に延出されており、クロスメンバー等で左右の部材間を結合する。
【００１２】
メインフレーム２ｃの低位の前部２ｄ間には燃料タンク６を配設し、中間部２ｅと前部２ｄの境界部に設けたブラケット２ｇを介して後輪７を取付、支持するユニットスイング式のパワーユニット８をリンク機構１１を介して支持する。パワーユニット８は、前部のエンジン９、及び伝動ケース１０を備え、伝動ケース１０とメインフレーム２ｃの後部２ｆとの間には、リヤクッションユニット１２を介設する。
【００１３】
フレーム２の前部をフロントカバー１３で覆い、ハンドル５の周りをハンドルカバー１４で覆って、これの正面に左右のウインカー等を含むヘッドライトユニット１５を配設し、前輪３上をフロントフェンダー１６で覆う。又メインフレーム２ｃの低位の前部２ｄ上を低床式のフロア１７で覆い、これの後部上にセンターカバー１８を、これの後方にリヤカバー１９を設けた周囲を覆い、リヤカバー１９の後部で下部には、リヤフェンダー２０を設ける。
以上カバー類で自動二輪車の外観を構成し、前記したセンターカバー１８、リヤカバー１９の上には、前端部をヒンジとして開閉自在にシート３０を設ける。
【００１４】
前記したシート３０の下方にはヘルメットを収納する収納ボックス２１を配設し、収納ボックス２１は周囲をセンターカバー１８、リヤカバー１９で覆われ、上方の開口部２１ａを前記したシート３０で開閉自在に覆う。
図１、図２は、何れもシートを略々水平に倒した状態とし、収納ボックス２１の開口部２１ａを覆った状態を示す。
【００１５】
収納ボックス２１の前壁２１ｂにはスティ２１ｃを前方に突設し、前壁２１ｂとセンターカバー１８との間の空間内にオイルタンク２２を収納、配置した。図１、図２において２３は、燃料タンク６の給油口を露出させ、給油を行う際に開閉するリッドである。
オイルタンク２２の給油部２２ａは、スティ２１ｃに設けた開口部２１ｄから上方に突出し、キャップ２２ｂを含む給油部２２ａは、シート３０の前部で塞がれ、シート３０を起立し、収納ボックス２１を開放した状態でオイルタンク２２のキャップ２２ｂを含む給油部２２ａは露出する。
【００１６】
収納ボックス２１の上方開口部２１ａを開閉自在に覆うシート３０は、図２、図３に示すように硬質の樹脂等で形成した底板３１、これの上に貼設された厚手の発泡ウレタン等からなるクッション材３２、合成皮革等の表皮３３からなる。底板３１の低位の前部３１ａにヒンジアーム２４を固着し、該ヒンジアーム２４の両側に垂下したアーム部２４ａを、前記した収納ボックス２１の前壁２１ｂ前方に突設したスティ２１ｃ前端部の軸支部２１ｅに支軸２５を介して軸支する。これにより、シート前端部の支軸２５を支点として、図２の左方（反時計方向）にシート３０は回動し、起立して収納ボックス２１を開く。
【００１７】
シート底板３１の前後方向中間部には、円形、多角形等の開口部３４を設け、開口部３４の外方の底板上にはリブを兼ねるリング状のガイド部３５を上方に突設する。ガイド部３５の内側の開口部３４の周辺部に、開口部３４を囲むように棚部３６を形成する。
一方、シート３０の底板３１上に臨むクッション材３２の開口部３４に該当する部分の底には、通気性を有する粗目の布等からなる補強シート３７を貼着し、補強シート３７は、図示例では、前記したリング状ガイド部３５にかかるように設けた。
【００１８】
前記した開口部３４には、底板３１と別体で、同素材等からなるディスク状の可動板３８を上下動自在に配設する。
具体的は、可動板３８の周辺部３８ａを上方に一段高い段部とし、周辺部３８ａを開口部３４内側周辺の棚部３６上に載せ、可動板３８の外周部３８ａと開口部３４の内周部とが、棚部３６を介して重なるように設定する。又可動板３８の外周と、前記したガイド部３５内周との間には、隙間が設けられるように該可動板３８の外径を設定する。
【００１９】
又可動板３８の径方向の中間部分は、若干中央部方向に上傾するように形成し、中央部に円形等の大径の孔部３９を設けた。この孔部３９の内径は、下方の収納ボックス２１内に収納するヘルメットＨの頂部の一部が嵌まる大きさに設定する。この可動板３８の上に、クッション材３２の開口部に相当する部分の底部に設けた前記補強シート３７を臨ませる。
以上の可動板３８の下面には、スポンジ等からなる保護材４０を貼設し、保護材４０は、図示例では、リング状として孔部３９の下面周辺部に設けた。
【００２０】
以上において、収納ボックス２１内にヘルメットＨを収納し、蓋体であるシート３０を閉じた状態を図４で示し、前記したシート底板３１に形成した開口部３４、可動板３８は、収納したヘルメットＨの頂部Ｈ１が該可動板３８の直下の位置になるように配設されている。
シート３０は、図４、図５のように閉じた状態では、収納ボックス２１内にヘルメットＨを収納した状態において、ヘルメットＨの頂部Ｈ１の一部が可動板３８、具体的は可動板３８の孔部３９に臨み、上からシート３０を閉じることで下方のヘルメット頂部Ｈ１に当たり、可動板３８を上方に持上げように作用する。
【００２１】
ヘルメットＨの頂部Ｈ１に起因する突き上げ作用で、可動板３８の上方への移動するが、この移動は、クッション材３２の変形で容易に許容される。クッション材３２の変形に伴う該クッション材３２内の空気の給、排は、補強シート３７が前記したように通気性を有するので、円滑になされ、従って、クッション材３２の変形は円滑、容易になされる。
又可動板３８の上方への移動は、外周部をガイド部３５で径方向への移動を規制しつつなされ、上下移動を規制しつつ円滑に行う。従って、可動板３８が、開口部３４内で、水平面内で遊動するのを防止し、定位置での上下動を保障する。
【００２２】
この結果、図４、詳細には図５に示すように、可動板３８はヘルメットＨの頂部Ｈ１との接触で、所定高さＳ分上昇することとなる。従って、高さＳだけシート３０の高さを低くしても、ヘルメットＨを収納ボックス２１内に収納し得ることから、この高さＳだけ、シート３０の高さを低くすることができることとなる。
尚、可動板３８の下面にスポンジ等の柔軟な保護材４０が貼設されているので、可動板３８とヘルメットＨの頂部Ｈ１の一部が接触しつつ摺動しても、保護材４０で保護され、ヘルッメットＨの表面が傷つくことを防止することができる。
【００２３】
図６は収納ボックス２１からヘルメットＨを取り出し、シート３０を閉じた状態を示し、シート３０の開閉は、前述のように前端部の支軸２５をヒンジとしてなされる。
可動板３８は、クッション材３２の原形への復帰作用で下方に押されて下降し、可動板３８は、周辺部３８ａがシート底板３１の開口部３４周辺部の棚部３６上に載置された状態で保持されることとなる。
ヘルメットＨを収納ボックス２１から取り出し、収納ボックス２１は空の状態で、乗員がシート３０に座乗した状態で、シート３０に乗員の荷重が作用し、可動板３８上にも乗員の荷重が作用する。
【００２４】
可動板３８上に乗員の荷重が作用するが、可動板３８は、前記した図３、図６に示すように、周辺部３８ａが開口部３４内側周辺部の棚部３６上に上下に重なって配置されており、従って、乗員の可動板３８への荷重は、シート底板３１で支持されることとなる。
従って、開口部３４内に上下移動自在に可動板３８を設け、ヘルメットＨの収納時に上動するように構成しても、シートとしての機能性を十分確保することができる。
【００２５】
図７は本発明の他の実施の形態を示し、シート３０の底板３１に開口部１３４を設け、開口部１３４の周縁部の一部に連続するようにフラップ状の可動板１３８を設ける。可動板１３８の下面には、前記と同様にスポンジ等の柔軟性の保護材１４０を貼設した。
可動板１３８の底板３２と連続する部分には、撓曲するヒンジ部１３８ａを設け、ヘルメットＨの収納時におけるシート３０を閉じた状態では、ヒンジ部１３８ａを支点としてフラップ状の可動板１３８を上動させ、ヘルメットＨの頂部Ｈ１を開口部１３４内に収納する。
【００２６】
図８は本発明の上記とは異なる他の実施の形態を示し、シート３０の底板３１の開口部３４内に上下移動自在に設けた可動板２３８を、中央部に孔のない盲板状とした。可動板２３８の中央部に、ヘルッメットＨの頂部の一部に倣う弯曲凹部２３９を設けた。又該凹部２３９の下面周辺部に、前記と同様のリング状の保護材４０を設けた。
以上においては、前記した図２〜図６の実施の形態と同様に、ヘルッメットＨを収納ボックス２１内に収納した状態で、シート３０を閉じることで、ヘルッメットＨの頂部Ｈ１の一部が可動板直下に臨み、これを押上げてヘルメットＨを収納する。
【００２７】
【発明の効果】
本発明は上記構成により次の効果を発揮する。
請求項１では、ヘルメットの収納ボックスの上方開口部を開閉自在なシートで覆うようにした自動二輪車において、シート底板の一部に開口部を設け、該開口部内に、該シート底板と別体で、上下方向に移動可能な可動板を設けたので、ヘルメットを収納ボックスに収納し、シートを閉じた状態で、シート底板とヘルッメット頂部の一部が当接した状態でも、シート底板と別体の可動板のみが、ヘルッメットの頂部の一部に当接して上方に移動することができる。
従って、ヘルメットの頂部とシート底板とが干渉し、且つシート内部にヘルッメット頂部が潜る高さ位置まで、シート底板を低位に配置することができる。この結果、シートの高さを低く設定することができ、ヘルッメットの高さ方向の一部の収納スペースを、シート底板よりも上方に確保することができ、この結果、シートの高さを下げることができる。
【００２８】
従って、スクータ形式等の自動二輪車のシート高さや、ヘルッメット収納ボックスの底部の高さ位置を従来と同様に所定高さに配置し、ユニットスイング式のパワーユニットの挙動を確保し、又機器類の配置を変更することなく、これらの機能性を確保しつつ、シートの高さを可及的に低く設定して、スクータ形式等の自動二輪車の乗降性を向上させることができる。
【００２９】
請求項１では、可動板を、その外周部（周辺部）が、シート底板の開口部内周縁の上方に重なるように構成したので、収納ボックスからヘルメットを取り出した空の状態において、シートへの乗員の荷重が可動板にかかっても、荷重はシート底板で支持されることとなる。
従って、収納ボックスからヘルメットを取り出し、乗員がシートに座乗しても、乗員の荷重はシート底板で支持され、シートの沈み込みを防止し、シート底板に開口部を設け、開口部に上下移動自在な可動板を設けても、シートの機能性を従前と同様に確保することができる。
請求項２では、可動板の中央部にヘルメットに対応するように設けた孔部の周部は、径方向の中央方向に上傾するように傾斜して形成されているので、収納ボックス内に収納するヘルメットの頂部の一部が嵌まる大きさに設定することができ、可動板の上下移動を円滑に行うことができる。
【００３０】
請求項３は、請求項１に加えるに、可動板の下面に、柔軟な保護材を設けたので、収納ボックス内にヘルメットを収納した状態で、ヘルメットの頂部、或いはこれの周辺部と可動板との接触は、可動板下面のスポンジ等の保護材を介してなされる。
従って、ヘルメットの頂部と可動板とが接触しても、ヘルメットの表面は保護材で保護され、表面への傷付きを防止することができる。
請求項４では、収納ボックスは、ヘルメットの後部を自動二輪車前方へ向けて収納可能に構成され、可動板は、ヘルメットの後部を自動二輪車前方へ向けて収納したときのヘルメットの頂部の真上位置に配設されているので、ヘルメットの頂部とシート底板とが干渉し、且つシート内部にヘルメット頂部が潜る高さ位置まで、シート底板を低位に配置することができる。
請求項５では、可動板の径方向への移動を規制しているガイド部を備えているので、ヘルメットの頂部に当たり、可動板を上方へ移動させる際に、可動板の外周部をガイド部で案内して径方向への移動を規制することができる。
請求項６では、ガイド部は、開口部の外方のシート底板上に、上方に突設しているので、可動板の径方向への移動を規制しながら上下移動を円滑に行うことができ、可動板が水平面内で遊動するのを防ぐことができる。
従って、可動板の遊動を規制してヘルメッ卜を安定させて保持することができる。
【図面の簡単な説明】
【図１】本発明に係る自動二輪車の外観側面図
【図２】本発明に係るシート、収納ボックス部分の拡大縦断面図
【図３】本発明に係るシート底板の一部で、可動板の部分の拡大縦断面図
【図４】本発明に係る収納ボックスにヘルメットを収納した状態の要部の縦断面図
【図５】図４の要部の拡大図
【図６】本発明に係る収納ボックスからヘルメットを取り出した空の状態の要部の縦断面図
【図７】本発明の変更実施例を示すシート要部の縦断面図
【図８】本発明の他の変更実施例を示すシート要部の縦断面図
【符号の説明】
１…自動二輪車、  ２１…ヘルッメット収納ボックス、  ３０…シート、  ３１…シート底板、  ３４…開口部、  ３６…開口部周縁部の棚部、  ３８…可動板、  ３８ａ…可動板外周部（周辺部）、  ４０…保護材、  Ｈ…ヘルッメット。
【図１】
0004132179.tif 000002
【図２】
0004132179.tif 000003
【図３】
0004132179.tif 000004
【図４】
0004132179.tif 000005
【図５】
0004132179.tif 000006
【図６】
0004132179.tif 000007
【図７】
0004132179.tif 000008
【図８】
0004132179.tif 000009